(57)【要約】【課題】非接触ＩＣカード自体に異常が発生し交信不能となったことを、利用者が容易に知ることができる非接触ＩＣカード用ホルダーを提供する。【解決手段】非接触ＩＣカード用ホルダーにおいて、カードリーダーと通信するためのカード側アンテナを有する非接触ＩＣカード１を、収納するカードホルダー４と、前記カードホルダー４に設けられたホルダー側アンテナ５と、前記カードホルダー４に設けられた発光体６と、前記カードホルダー４と前記非接触ＩＣカード１との間での前記ホルダー側アンテナ５及び前記カード側アンテナを介した定期的な交信を制御する交信制御手段と、前記交信の結果に基づいて、前記非接触ＩＣカード１の異常の有無を判定する判定手段と、前記判定手段により前記非接触ＩＣカード１に異常が発生したと判定された場合に、前記発光体６を点灯させる発光制御手段と、を備えた構成とする。【選択図】図２
2012146198.tif 000002
【特許請求の範囲】
【請求項１】
カードリーダーと通信するためのカード側アンテナを有する非接触ＩＣカードを、収納するカードホルダーと、
前記カードホルダーに設けられたホルダー側アンテナと、
前記カードホルダーに設けられた発光体と、
前記カードホルダーと前記非接触ＩＣカードとの間での前記ホルダー側アンテナ及び前記カード側アンテナを介した定期的な交信を制御する交信制御手段と、
前記交信の結果に基づいて、前記非接触ＩＣカードの異常の有無を判定する判定手段と、
前記判定手段により前記非接触ＩＣカードに異常が発生したと判定された場合に、前記発光体を点灯させる発光制御手段と、を備えたことを特徴とする非接触ＩＣカード用ホルダー。
【請求項２】
前記交信制御手段は、前記カードホルダーに収納された前記非接触ＩＣカードが前記カードリーダーの通信可能範囲内に近付けられた場合に、前記交信を中断させることを特徴とする請求項１に記載の非接触ＩＣカード用ホルダー。
【請求項３】
前記交信制御手段は、前記交信が中断された状態で、前記カードホルダーに収納された前記非接触ＩＣカードが前記カードリーダーの通信可能範囲外に遠ざけられた場合に、前記交信を再開させることを特徴とする請求項２に記載の非接触ＩＣカード用ホルダー。
【発明の詳細な説明】
【技術分野】
【０００１】
この発明は、非接触ＩＣカード用ホルダーに関するものである。
【背景技術】
【０００２】
従来における非接触ＩＣカードは、例えば特許文献１に記載されているように、カードリーダーとの間で無線信号を送受信するためのアンテナと、前記カードリーダーとの間での前記アンテナを介した交信動作を制御するためのＩＣモジュールと、を備えたものが知られている。また、このような非接触ＩＣカードを収納するホルダーとしては、例えば特許文献２に記載されているような、非接触ＩＣカードを収納及び出し入れ可能なカードホルダーを備えたものが知られている。
【先行技術文献】
【特許文献】
【０００３】
【特許文献１】特開平１１−０３４５６２号公報
【特許文献２】特開平２００６−０３１２３２号公報
【発明の概要】
【発明が解決しようとする課題】
【０００４】
しかしながら、特許文献１に示されるような従来における非接触ＩＣカードにおいては、非接触ＩＣカードを構成する要素に何らかの異常が発生し交信不能となった場合であっても、非接触ＩＣカードの外見上は何ら変化しない。従って、非接触ＩＣカードに故障が発生して交信不能となった状態で、当該非接触ＩＣカードをカードリーダーに対して使用して交信に失敗した場合に、利用者は失敗した原因が判らず困惑してしまうという課題がある。また、いつ、どのような状況で、非接触ＩＣカードに故障が発生したのかを知ることができないため、非接触ＩＣカードの故障要因の分析が困難であるという課題もある。なお、このような事情は従来における非接触ＩＣカード用ホルダーを用いたところで同様である。
【０００５】
この発明は、このような課題を解決するためになされたもので、非接触ＩＣカード自体に異常が発生し交信不能となったことを、利用者が容易に知ることができる非接触ＩＣカード用ホルダーを得るものである。
【課題を解決するための手段】
【０００６】
この発明に係る非接触ＩＣカード用ホルダーにおいては、カードリーダーと通信するためのカード側アンテナを有する非接触ＩＣカードを、収納するカードホルダーと、前記カードホルダーに設けられたホルダー側アンテナと、前記カードホルダーに設けられた発光体と、前記カードホルダーと前記非接触ＩＣカードとの間での前記ホルダー側アンテナ及び前記カード側アンテナを介した定期的な交信を制御する交信制御手段と、前記交信の結果に基づいて、前記非接触ＩＣカードの異常の有無を判定する判定手段と、前記判定手段により前記非接触ＩＣカードに異常が発生したと判定された場合に、前記発光体を点灯させる発光制御手段と、を備えた構成とする。
【発明の効果】
【０００７】
この発明に係る非接触ＩＣカード用ホルダーにおいては、非接触ＩＣカード自体に異常が発生し交信不能となったことを、利用者が容易に知ることができるという効果を奏する。
【図面の簡単な説明】
【０００８】
【図１】この発明の実施の形態１に係る非接触ＩＣカード用ホルダーに収納される非接触ＩＣカードの構成を模式的に示す図である。
【図２】この発明の実施の形態１に係る非接触ＩＣカード用ホルダーの構成を模式的に示す図である。
【発明を実施するための形態】
【０００９】
この発明を添付の図面に従い説明する。各図を通じて同符号は同一部分又は相当部分を示しており、その重複説明は適宜に簡略化又は省略する。
【００１０】
実施の形態１．
図１及び図２は、この発明の実施の形態１に係るもので、図１は非接触ＩＣカード用ホルダーに収納される非接触ＩＣカードの構成を模式的に示す図、図２は非接触ＩＣカード用ホルダーの構成を模式的に示す図である。
図１において、１は、非接触ＩＣカードである。この非接触ＩＣカード１は、図示しないカードリーダーと電磁場（電波又は磁束結合）を介して交信することで、所定のデータ授受を行うものである。非接触ＩＣカード１は、カード側アンテナ２及びカード側アンテナ２に接続されたカード側ＩＣモジュール３を備えている。
【００１１】
カード側アンテナ２は、カードリーダーとの間で電磁場を介して信号を送受信するためのものである。このカード側アンテナ２は、非接触ＩＣカード１の周縁にほぼ沿ったループ状に形成されている。カード側アンテナ２はカードリーダー側から生成される電磁場によって励磁されて起電力を生じる。そして、このカード側アンテナ２に発生した起電力によってカード側ＩＣモジュール３を駆動することができる。
【００１２】
カード側ＩＣモジュール３は、カードリーダーとの間でのカード側アンテナ２を介した交信動作を制御するためのものである。このカード側ＩＣモジュール３はメモリ部や演算処理部を有している。メモリ部には、カードリーダーと非接触ＩＣカード１との間でやり取りされるデータや、非接触ＩＣカード１を動作させるために必要なプログラム等が記憶されている。演算処理部は、カード側アンテナ２に発生した起電力により動作してメモリ部からプログラムを読み出して実行し、例えば、メモリ部内の所定のデータを信号としてカード側アンテナ２から発信させる等の制御を行う。
【００１３】
このような非接触ＩＣカードは、カードリーダー等によって生成される外部電磁場によって起動されて、自身に記憶されたデータを応答信号としてカード側アンテナ２から送信することができる。
【００１４】
図２に非接触ＩＣカード用ホルダーの構成を模式的に示す。この非接触ＩＣカード用ホルダーは、非接触ＩＣカード１を出し入れ自在に収納するカードホルダー４を備えている。このカードホルダー４には、ループ状のホルダー側アンテナ５が設けられている。このホルダー側アンテナ５は、カードホルダー４内に収納された状態の非接触ＩＣカード１のカード側アンテナ２と対向するように配置されている。
【００１５】
カードホルダー４には、例えばＬＥＤ等からなる発光体６が取り付けられている。この発光体６は、カードホルダー４に備えられた電源７からの電力供給を受けて点灯する。この電源７と発光体６との間にはスイッチ８が介挿されている。そして、このスイッチ８がオン／オフされることで、発光体６の点灯／消灯が制御される。
【００１６】
カードホルダー４の動作はホルダー側ＩＣモジュール９によって制御される。このホルダー側ＩＣモジュール９は、カード側ＩＣモジュール３と同じく、メモリ部や演算処理部を有している。メモリ部には、カードホルダー４を動作させるために必要なプログラム等が記憶されている。演算処理部は、メモリ部からプログラムを読み出して情報処理を実行し、カードホルダー４の動作制御に必要な各種手段を実現している。
【００１７】
このホルダー側ＩＣモジュール９によって実現される各種の手段としては、具体的には、交信制御手段、判定手段及び発光制御手段がある。交信制御手段は、ホルダー側アンテナ５を用いて行われる、カードホルダー４内に収納された非接触ＩＣカード１との交信を制御するものである。判定手段は、カードホルダー４内に収納された非接触ＩＣカード１との交信における非接触ＩＣカード１からの応答結果に基づいて、通信の成否を判定するとともに、通信に成功した場合には非接触ＩＣカード１は正常であると判定し、通信に失敗した場合には非接触ＩＣカード１に異常が発生したと判定するものである。発光制御手段は、発光体６に通電するためのスイッチ８のオン／オフを制御することにより、発光体６の点灯／消灯を制御するものである。
【００１８】
このように構成された非接触ＩＣカードホルダーは、以下のように動作する。
まず、カードホルダー４内に非接触ＩＣカード１が収納されると、ホルダー側ＩＣモジュール９の交信制御手段は、ホルダー側アンテナ５によって電磁場を生成させ、このホルダー側アンテナ５に対向して位置する非接触ＩＣカード１のカード側アンテナ２を励磁する。カード側アンテナ２が励磁されると、カード側ＩＣモジュール３が駆動される。カード側ＩＣモジュール３が駆動されると、非接触ＩＣカード１はカード側アンテナ２から応答信号を発信される。カードホルダー４は、ホルダー側アンテナ５によって、この非接触ＩＣカード１のカード側アンテナ２からの応答信号を受信する。
【００１９】
このようにして、カードホルダー４側から非接触ＩＣカード１側を駆動することにより、非接触ＩＣカード１とカードホルダー４との間での交信が行われる。この交信は、ホルダー側ＩＣモジュール９の交信制御手段による制御の下で、非接触ＩＣカード１がカードホルダー４内に収納されている間は所定の一定時間毎に定期的に行われる。
【００２０】
このような定期的な交信により得られる非接触ＩＣカード１からの応答信号に基づいて、ホルダー側ＩＣモジュール９の判定手段は、応答信号の内容が正常であって通信に成功しているか否かを判定する。そして、通信成功である場合には、非接触ＩＣカード１は正常であると判定する。非接触ＩＣカード１は正常であると判定された場合には、ホルダー側ＩＣモジュール９の発光制御手段は、スイッチ８をオフにして発光体６を消灯する。なお、発光体６の初期状態は消灯状態である。
【００２１】
一方、通信に失敗した場合には、ホルダー側ＩＣモジュール９の判定手段は、非接触ＩＣカード１に異常が発生していると判定する。非接触ＩＣカード１に異常が発生していると判定された場合には、ホルダー側ＩＣモジュール９の発光制御手段は、スイッチ８をオンにして発光体６を点灯する。こうして、非接触ＩＣカード１に異常が発生して交信不能になると、その状態がカードホルダー４によって検出され発光体６が発光する。そして、非接触ＩＣカード１及びカードホルダー４を携帯する利用者は、カードホルダー４の発光体６が発光したことにより、非接触ＩＣカード１に異常が発生したことを知ることができる。
【００２２】
また、カードホルダー４内に非接触ＩＣカード１を収納した状態で非接触ＩＣカード１をカードリーダーの通信可能範囲内に近付けた場合、カードホルダー４側でもカードリーダーに近付けられたことを検出する。そして、カードホルダー４に収納された非接触ＩＣカード１がカードリーダーに近付けられたことを検出した場合には、ホルダー側ＩＣモジュール９の交信制御手段は、非接触ＩＣカード１とカードホルダー４との間での定期的な交信を中断させる。
【００２３】
そして、カードホルダー４に収納された非接触ＩＣカード１がカードリーダーの通信可能範囲内から範囲外へと遠ざけられたことを検出した場合には、ホルダー側ＩＣモジュール９の交信制御手段は、非接触ＩＣカード１とカードホルダー４との間での定期的な交信を再開させる。こうして、非接触ＩＣカード１とカードリーダーとの間の通信を優先させて、これらの間の通信に干渉することがないようにすることができる。
【００２４】
この、カードホルダー４内に収納された状態の非接触ＩＣカード１が、カードリーダーの通信可能範囲に対して近づけられたり遠ざけられたりしたことの検出は、例えば、ホルダー側アンテナ５によってカードリーダーが生成した電磁場を検出することによって実現することができる。
【００２５】
なお、ここでは、非接触ＩＣカードはパッシブ型のものである場合について説明したが、アクティブ型の非接触ＩＣカードを用いた場合であっても、ほぼ同様にして本願発明を適用することが可能である。
【００２６】
以上のように構成された非接触ＩＣカード用ホルダーは、カードリーダーと通信するためのカード側アンテナを有する非接触ＩＣカードを収納するカードホルダーに、ホルダー側アンテナ及び発光体を設け、交信制御手段によってカードホルダーと非接触ＩＣカードとの間で定期的に交信を行い、この交信結果に基づいて非接触ＩＣカードの異常の有無を判定手段によって判定するものである。そして、この判定の結果、非接触ＩＣカードに異常が発生したと判定された場合には、発光制御手段によって発光体が点灯される。
【００２７】
このため、非接触ＩＣカード自体に物理的あるいは静電気的な故障等の異常が発生し交信不能となったことを、利用者が容易に知ることが可能である。そして、また、利用者は、非接触ＩＣカードに故障が発生したタイミングも知ることができるため、その際の状況等から非接触ＩＣカードの故障要因の手がかりを得ることも可能である。
【符号の説明】
【００２８】
１    非接触ＩＣカード
２    カード側アンテナ
３    カード側ＩＣモジュール
４    カードホルダー
５    ホルダー側アンテナ
６    発光体
７    電源
８    スイッチ
９    ホルダー側ＩＣモジュール
【図１】
2012146198.tif 000003
【図２】
2012146198.tif 000004